(57)【要約】【課題】  デュアルパネル駆動システム及び駆動方法を提供する。【解決手段】  デュアルディスプレイパネルを駆動するために、第１及び第２ディスプレイパネルのうち一つのパネルは、ディスプレイモードパネルと決定され、他の一つのパネルは、非ディスプレイモードパネルと決定される。画像データは、前記ディスプレイモードパネル上にディスプレイされ、画像データは、ディスプレイモードパネルが第１及び第２ディスプレイパネルのうち何れか一つである時、同じ共有メモリに保存される。また、非ディスプレイモードパネルは、ノイズを減少するために、所定フレーム間隔でブラックディスプレイモードまたはホワイトディスプレイモードのうち、選択された一つのモードで駆動される。【選択図】  図４
2005326859.tif 000002
【特許請求の範囲】
【請求項１】
デュアルディスプレイパネルを駆動する方法において、
第１及び第２ディスプレイパネルのうち何れか一つをディスプレイモードパネルと決定し、前記ディスプレイパネルのうち他の一つを非ディスプレイモードパネルと決定するステップと、
前記ディスプレイモードパネルに画像データをディスプレイするステップと、
前記ディスプレイモードパネルが前記第１及び第２ディスプレイパネルのうち何れか一つである時には、同じ共有メモリに前記画像を保存するステップと、を含むことを特徴とする方法。
【請求項２】
前記共有メモリは、前記第１及び第２ディスプレイパネルのうち、大きいディスプレイパネルに対応する容量を備えることを特徴とする請求項１に記載の方法。
【請求項３】
前記方法は、
前記非ディスプレイモードパネルをブラックディスプレイモードまたはホワイトディスプレイモードのうち、選択されたモードで駆動するステップをさらに含むことを特徴とする請求項１に記載の方法。
【請求項４】
前記方法は、
前記非ディスプレイモードパネルのゲートラインを、前記ディスプレイモードパネルのディスプレイフレームレートの所定フレーム間隔で活性電圧で駆動するステップをさらに含むことを特徴とする請求項３に記載の方法。
【請求項５】
前記非ディスプレイモードパネルのゲートラインが前記活性電圧で駆動される時、前記非ディスプレイモードパネルのソースラインを前記ブラックディスプレイモードまたは前記ホワイトディスプレイモードのうち、前記選択されたモードに対応する各所定電圧で駆動するステップをさらに含むことを特徴とする請求項４に記載の方法。
【請求項６】
前記ディスプレイモードパネルは、前記第１及び第２ディスプレイパネルのうち、大きいディスプレイパネルに設定されることを特徴とする請求項１に記載の方法。
【請求項７】
前記非ディスプレイモードパネルのソースラインは、前記ディスプレイモードパネルのソースラインのサブセットから延びることを特徴とする請求項６に記載の方法。
【請求項８】
デュアルディスプレイパネルを駆動する方法において、
第１及び第２ディスプレイパネルのうち、何れか一つのパネルをディスプレイモードパネルと決定し、前記第１及び第２ディスプレイパネルのうち、他の一つのパネルを非ディスプレイモードパネルと決定するステップと、
画像データを前記ディスプレイモードパネル上にディスプレイフレームレートでディスプレイするステップと、
前記非ディスプレイモードパネルを、前記ディスプレイフレームレートの所定フレーム間隔でブラックディスプレイモードまたはホワイトディスプレイモードのうち、選択されたモードで駆動するステップと、を含むことを特徴とする方法。
【請求項９】
前記ディスプレイモードパネルは、前記第１及び第２ディスプレイパネルのうち、大きいパネルに設定されることを特徴とする請求項８に記載の方法。
【請求項１０】
前記方法は、
前記非ディスプレイモードパネルのゲートラインを、前記所定フレーム間隔で活性電圧で駆動するステップと、
前記非ディスプレイモードパネルのゲートラインが前記活性電圧で駆動される時、前記非ディスプレイモードパネルのソースラインを、前記ブラックディスプレイモードまたは前記ホワイトディスプレイモードのうち、前記選択されたモードに対応する各所定電圧で駆動するステップと、をさらに含むことを特徴とする請求項８に記載の方法。
【請求項１１】
デュアルディスプレイの駆動システムにおいて、
第１ディスプレイパネルと、
第２ディスプレイパネルと、
前記第１及び第２ディスプレイパネルのうち何れか一つのパネルをディスプレイモードパネルに設定し、前記第１及び第２ディスプレイパネルのうち、他の一つのパネルを非ディスプレイモードパネルに設定するグラフィックプロセッサと、
画像データをディスプレイするために、前記ディスプレイモードパネルのゲートライン及びソースラインを駆動するための駆動回路と、
前記ディスプレイモードパネルが前記第１及び第２ディスプレイパネルのうち何れか一つのパネルである時、前記画像データを保存するための共有メモリと、を含むことを特徴とするシステム。
【請求項１２】
前記共有メモリは、前記第１及び第２ディスプレイパネルのうち、大きいパネルに対応する容量を備えることを特徴とする請求項１１に記載のシステム。
【請求項１３】
前記駆動回路は、前記非ディスプレイモードパネルをブラックディスプレイモードまたはホワイトディスプレイモードのうち、選択された何れか一つのモードで駆動することを特徴とする請求項１１に記載のシステム。
【請求項１４】
前記駆動回路は、前記非ディスプレイモードパネルのゲートラインを前記ディスプレイモードパネルに対する所定フレーム間隔で活性電圧で駆動することを特徴とする請求項１３に記載のシステム。
【請求項１５】
前記駆動回路は、前記非ディスプレイモードパネルのゲートラインが前記活性電圧で駆動される時、前記非ディスプレイモードパネルのソースラインを前記ブラックディスプレイモードまたは前記ホワイトディスプレイモードのうち、前記選択されたモードに対応する各所定電圧で駆動することを特徴とする請求項１４に記載のシステム。
【請求項１６】
前記ディスプレイモードパネルは、前記第１及び第２ディスプレイパネルのうち、大きいパネルに設定されることを特徴とする請求項１１に記載のシステム。
【請求項１７】
前記非ディスプレイモードパネルのソースラインは、前記ディスプレイモードパネルのソースラインのサブセットから延びることを特徴とする請求項１６に記載のシステム。
【請求項１８】
デュアルディスプレイ駆動システムにおいて、
第１ディスプレイパネルと、
第２ディスプレイパネルと、
前記第１及び第２ディスプレイパネルのうち何れか一つのパネルをディスプレイモードパネルに設定し、前記第１及び第２ディスプレイパネルのうち、他の一つのパネルを非ディスプレイモードパネルに設定するグラフィックプロセッサと、
画像データをディスプレイフレームレートでディスプレイするために、前記ディスプレイモードパネルのゲートライン及びソースラインを駆動し、前記非ディスプレイモードパネルを、前記ディスプレイフレームレートの所定フレーム間隔でブラックディスプレイモードまたはホワイトディスプレイモードのうち、選択された何れか一つのモードで駆動するための駆動回路と、を含むことを特徴とするシステム。
【請求項１９】
前記ディスプレイモードパネルは、前記第１及び第２ディスプレイパネルのうち、大きいパネルに設定されることを特徴とする請求項１８に記載のシステム。
【請求項２０】
前記駆動回路は、前記非ディスプレイモードパネルのゲートラインを前記所定フレーム間隔で活性電圧で駆動し、このとき、前記駆動回路は、前記非ディスプレイモードパネルのゲートラインが前記活性電圧で駆動される時、前記非ディスプレイモードパネルのソースラインを前記ブラックディスプレイモードまたは前記ホワイトディスプレイモードのうち、前記選択されたモードに対応する各所定電圧で駆動することを特徴とする請求項１８に記載のシステム
【発明の詳細な説明】
【技術分野】
【０００１】
本発明は、ディスプレイ装置に関わり、具体的には、折り畳み型のデュアルパネルを有するディスプレイ装置の駆動システム及びデュアルパネルディスプレイ装置の駆動方法に関する。
【背景技術】
【０００２】
フラットパネル状のディスプレイ装置は、軽く、かつ薄く、消費電力が小さくて、従来のＣＲＴ（Ｃａｔｈｏｄｅ Ｒａｙ Ｔｕｂｅ）ディスプレイ装置を代替している。また、フラットパネルディスプレイ装置は、個人用パソコンだけでなく、サイズを小さく設計できて、ＰＤＡ、携帯用通信端末機、デジタルカメラなどに広く利用されている。
このようなフラットパネルディスプレイ装置には、液晶表示装置、プラズマ表示装置、有機ＥＬ（Ｅｌｅｃｔｒｏ Ｌｕｍｉｎｅｓｃｅｎｃｅ）表示装置が利用される。このうち、携帯用通信端末機に使われるディスプレイ装置は、相対的に低コストである液晶表示装置が使われる。
【０００３】
現在、広く使われている携帯用通信端末機の形態は、サブディスプレイ装置が外部に装着され、大きい面積を有するメインディスプレイ装置が端末機の内側に装着されて、ディスプレイ装置が二つであるデュアルフォルダ型、または携帯用通信端末機の待機モード及び活性モードによってディスプレイ領域が変わるスライド型が主流をなしている。
このような携帯用通信端末機では、待機モードでは、通信端末機の状態や時間情報を知らせる少量のデータのみを出力し、活性モードでは、通信情報や多様なマルチメディア情報を表示するために多量のデータを出力する。このとき、端末機を使用しない待機モードでは、サブディスプレイパネルにデータが表示され、メインディスプレイパネルは、データが表示されない。また、端末機を使用する活性モードでは、サブディスプレイパネルにはデータが表示されず、メインディスプレイパネルにデータが表示される。スライド型の通信端末機では、待機モードでは、ディスプレイパネルの一部領域にのみデータが表示され、活性モードでは、ディスプレイパネルの全体領域にデータが表示される。
【０００４】
一方、デュアルディスプレイパネルを有する携帯用移動通信端末機では、メインディスプレイパネルを駆動させるドライバーと、サブディスプレイパネルを駆動させるドライバーと、メインディスプレイパネルとサブディスプレイパネルとにディスプレイする画像データを保存できる別途のメモリと、が必要である。
【０００５】
図１は、従来の二つの駆動回路を有するデュアルパネル駆動システムを示すブロック図である。
図１を参照すれば、従来のデュアルパネル駆動システム１００は、サブディスプレイパネル１０２、メインディスプレイパネル１０４、サブディスプレイパネル駆動回路１０６、及びメインディスプレイパネル駆動回路１０８を備える。
【０００６】
サブディスプレイパネル駆動回路１０６は、タイミングコントローラ１１２、メモリ１１４、ゲート駆動回路１１６、及びソース駆動回路１１８を含み、これと同様に、メインディスプレイパネル駆動回路１０８もタイミングコントローラ１２２、メモリ１２４、ゲート駆動回路１２６、及びソース駆動回路１２８を含む。
【０００７】
しかし、図１のように、それぞれのディスプレイパネルにそれぞれの駆動回路を備えることは、携帯用通信端末機を厚くするという問題が発生する。特に、カラー液晶ディスプレイパネルでは、白黒ディスプレイパネルに比べてパネルが厚いため、通信端末機の厚さを減らす必要があった。
その結果、一つのディスプレイパネル駆動回路のみを使用して、サブディスプレイパネルとメインディスプレイパネルともを駆動するシステムが開発された。
【０００８】
図２は、従来の一つの駆動回路のみを有するデュアルパネル駆動システムを示すブロック図である。
図２を参照すれば、デュアルパネル駆動システム２００は、サブディスプレイパネル２０２、メインディスプレイパネル２０４及び一つのディスプレイパネル駆動回路２０６を含む。サブディスプレイパネル２０２の画面サイズは、メインディスプレイ２０４の画面サイズより小さい。ディスプレイパネル駆動回路２０６の内部には、図２に示されたように、タイミングコントローラ２０８及びメモリ２１０を含みうる。ディスプレイパネル駆動回路２０６は、サブディスプレイパネル２０２に連結される第１ゲートライン２１２と、メインディスプレイパネル２０４に連結される第２ゲートライン２１４とを制御する。また、ディスプレイパネル駆動回路２０６は、サブディスプレイパネル２０２とメインディスプレイパネル２０４に共通して連結されたソースライン２１６を駆動する。
【０００９】
図２に示されたデュアルパネル駆動システム２００は、駆動回路２０６の制御によって、通信端末機が待機モードである場合には、第２ゲートライン２１４をターンオフにしてメインディスプレイパネル２０４をターンオフにする。そして、第１ゲートライン２１２を順次に走査信号で印加しつつ、ソースライン２１６に画像データを出力する。これと同様に、ディスプレイパネル駆動回路２０６は、通信端末機が活性モードである場合に、第１ゲートライン２１２をターンオフにしてサブディスプレイパネル２０２をオフにし、第２ゲートライン２１４を順次に走査信号を印加しつつ、ソースライン２１６に画像データを出力する。
【００１０】
図２に示された駆動システムを使用すれば、二つのディスプレイパネルを駆動するのにただ一つの駆動回路のみで十分なため、システムの設計が容易になり、ディスプレイ装置が薄くなるという効果がある。
【００１１】
図３は、図２に示されたデュアルパネル駆動システムに使われるメモリのサイズを示すブロック図である。
図３を参照すれば、サブディスプレイパネル２０２は、Ａ本のゲートラインとＢ本のソースラインとで構成されたＡ×Ｂサイズの表示領域を有し、メインディスプレイパネル２０４は、Ｃ本のゲートラインとＤ本のソースラインとで構成されたＣ×Ｄサイズの表示領域を有する。画像メモリ２１０は、サブディスプレイパネル用メモリ２１０＿ａとメインディスプレイパネル用メモリ２１０＿ｂとを含む。このとき、画像メモリ２１０は、メイン＋サブディスプレイパネルのサイズほどのメモリサイズが必要であるため、サブパネル用メモリ２１０＿ａは、Ａ×Ｂのデータ容量を有し、メインパネル用メモリ２１０＿ｂは、Ｃ×Ｄのデータ容量を有する。
【００１２】
そして、サブパネル用メモリ２１０＿ａは、サブディスプレイパネル２０２にディスプレイされる画像データを保存し、前記画像データをサブディスプレイパネル２０２に出力する。また、メインパネル用メモリ２１０＿ｂには、メインディスプレイパネル２０４にディスプレイされる画像データを保存し、画像データをメインディスプレイパネル２０４に出力する。
【００１３】
しかし、一般的に、移動通信端末機は、サブディスプレイパネルとメインディスプレイパネルとを同時に駆動する場合は、ほとんどない。すなわち、携帯用通信端末機が、待機モードでは、サブディスプレイパネルのみを駆動する場合が一般的であり、活性モードでは、メインディスプレイパネルのみを駆動する場合が一般的である。したがって、図３のように、ディスプレイパネル全体のデータ量を保存するメモリを使用するのは、不必要な製作コストが浪費され、かつ駆動回路の面積が増大する問題となりうる。
【発明の開示】
【発明が解決しようとする課題】
【００１４】
本発明が解決しようとする技術的課題は、デュアルディスプレイパネルを支援しつつ、メモリサイズを減らして効率的にメモリを使用できるディスプレイパネル駆動システムを提供することである。
【００１５】
本発明が解決しようとする他の技術的課題は、メモリサイズを減らしつつ、使われないディスプレイパネルのノイズ現象を減らすディスプレイパネル駆動システムを提供することである。
【００１６】
本発明が解決しようとするさらに他の技術的課題は、メモリサイズを減らしつつ、メインディスプレイパネルとサブディスプレイパネルとを駆動でき、ディスプレイパネルのノイズ現象を減らすディスプレイパネル駆動方法を提供することである。
【課題を解決するための手段】
【００１７】
前記目的を達成するために、本発明の特徴によれば、デュアルディスプレイパネルを駆動する方法及びシステムは、第１及び第２ディスプレイパネルのうち、何れか一つをディスプレイモードパネルと決定し、前記ディスプレイパネルのうち、他の一つを非ディスプレイモードパネルと決定し、前記ディスプレイモードパネルに画像データをディスプレイし、前記ディスプレイモードパネルが前記第１及び第２ディスプレイパネルのうち何れか一つである時には、同じ共有メモリに前記画像を保存する。
【００１８】
前記共有メモリは、前記第１及び第２ディスプレイパネルのうち、大きいディスプレイパネルに対応する容量を備える。
【００１９】
前記非ディスプレイモードパネルを、ブラックディスプレイモードまたはホワイトディスプレイモードのうち選択されたモードで駆動する。この場合、前記非ディスプレイモードパネルのゲートラインを、前記ディスプレイモードパネルのディスプレイフレームレートの所定フレーム間隔で活性電圧で駆動する。また、前記非ディスプレイモードパネルのゲートラインが前記活性電圧で駆動される時、前記非ディスプレイモードパネルのソースラインを、前記ブラックディスプレイモードまたは前記ホワイトディスプレイモードのうち、前記選択されたモードに対応する各所定電圧で駆動する。
望ましくは、前記ディスプレイモードパネルは、前記第１及び第２ディスプレイパネルのうち、大きいディスプレイパネルに設定される。
【００２０】
本発明の他の特徴によれば、デュアルディスプレイパネルを駆動する方法及びシステムは、第１及び第２ディスプレイパネルのうち、何れか一つのパネルをディスプレイモードパネルと決定し、前記第１及び第２ディスプレイパネルのうち、他の一つのパネルを非ディスプレイモードパネルと決定し、画像データを前記ディスプレイモードパネル上にディスプレイフレームレートでディスプレイし、前記非ディスプレイモードパネルを、前記ディスプレイフレームレートの所定フレーム間隔でブラックディスプレイモードまたはホワイトディスプレイモードのうち、選択されたモードで駆動する。
前記ディスプレイモードパネルは、前記第１及び第２ディスプレイパネルのうち、大きいパネルに設定される。
【００２１】
前記非ディスプレイモードパネルのゲートラインを、前記所定フレーム間隔で活性電圧で駆動し、前記非ディスプレイモードパネルのゲートラインが前記活性電圧で駆動される時、前記非ディスプレイモードパネルのソースラインを、前記ブラックディスプレイモードまたは前記ホワイトディスプレイモードのうち、前記選択されたモードに対応する各所定電圧で駆動する。
【００２２】
本発明の他の特徴によるデュアルディスプレイパネルを駆動する方法及びシステムは、第１及び第２ディスプレイパネルのうち、何れか一つパネルをディスプレイモードパネルと決定し、第１及び第２ディスプレイパネルのうち、他の一つのパネルを非ディスプレイモードパネルと決定する。画像データは、ディスプレイフレームレートでディスプレイモードパネルにディスプレイされ、非ディスプレイモードパネルは、ディスプレイフレームレートの所定フレーム間隔でブラックディスプレイモードまたはホワイトディスプレイモードのうち、選択された何れか一つのモードで駆動される。
【００２３】
このような一実施形態で、非ディスプレイモードパネルのゲートラインは、ディスプレイモードパネルについてのディスプレイフレームレートに対する所定フレーム間隔で活性電圧で駆動される。また、非ディスプレイモードパネルのゲートラインが活性電圧で駆動される時、非ディスプレイモードパネルのソースラインを、ブラックディスプレイモードまたはホワイトディスプレイモードのうち、前記選択されたモードに対応する各所定電圧で駆動する。
【００２４】
この方法で、メモリ容量を最小化するために、単一共有メモリが両パネルを駆動するための画像データを保存するのに利用される。また、非ディスプレイモードパネルをブラックまたはホワイトディスプレイモードのうち何れか一つで駆動することによって、ノイズが減少する。
【発明の効果】
【００２５】
本発明によるデュアルパネル駆動システム及び駆動方法によれば、メモリをメインディスプレイパネルとサブディスプレイパネルとで共有して、全体チップのサイズを減らすことができる。また、バックライトの共有によるサブディスプレイパネルの画面ノイズを減らすことができる。また、二つのパネルが同時に活性化されない構造を通じて、消費電流を減らすことができる。
【発明を実施するための最良の形態】
【００２６】
以下、添付された図面を参照して、本発明の望ましい実施形態を説明することによって、本発明を詳細に説明する。各図面に示された同じ参照符号は、同じ部材を表す。
図４は、本発明によるディスプレイパネル駆動回路のメモリを示すブロック図である。図９は、ディスプレイパネル駆動システム４００の具体的なブロック図を示し、図１０は、ディスプレイパネル駆動システム４００の動作を説明するフローチャートである。本発明の一実施形態で、駆動回路４０２は、駆動制御器４１６によって、駆動回路４０２が図１０のステップを行う時、このような指示の順序を保存する駆動メモリ４１０を含む。
【００２７】
図４を参照すれば、本発明によるデュアルパネル駆動システム４００は、図３と同様に、サブディスプレイパネル２０２とメインディスプレイパネル２０４及びディスプレイパネル駆動回路４０２を含む。また、サブディスプレイパネル２０２は、Ａ本のゲートラインとＢ本のソースラインとで構成されたＡ×Ｂサイズの表示領域を有し、メインディスプレイパネル２０４は、Ｃ本のゲートラインとＤ本のソースラインとで構成されたＣ×Ｄサイズの表示領域を有する。メインディスプレイパネル２０４の表示領域は、サブディスプレイパネル２０２の表示領域より大きい。
【００２８】
このとき、サブディスプレイパネル２０２は、Ｂ本のソースライン２１６とＡ本のサブゲートライン２１２とが交差するアクティブマトリックス型のパネルであり、メインディスプレイパネル２０４は、Ｄ本のソースライン２１６とＣ本のメインゲートライン２１２とが交差するアクティブマトリックス型のパネルである。前記ソースライン２１６とゲートライン２１２，２１４は、ディスプレイパネル駆動回路４０２によって制御される。サブディスプレイパネル２０２に連結されるＢ本のソースラインは、メインディスプレイパネル２０４に連結されるＤ本のソースラインから延びて連結されたソースラインである。したがって、Ｂ本のソースラインの数は、Ｄ本のソースラインの数より小さいか、または同じでありうる。
【００２９】
折り畳み型の携帯用通信端末機は、フォルダを開いた時とフォルダを閉じた時、または端末機を使用する時と使用しない時、二つのディスプレイパネルのうち一つのみを選択的に使用することが一般的である。したがって、駆動回路４０２は、サブディスプレイパネル２０２またはメインディスプレイパネル２０４のうち何れか一つのみが活性化されて映像データをディスプレイする時、必要なメモリの容量のみを有する画像メモリ４０４を有する。一般的に、サブディスプレイパネルよりメインディスプレイパネルのサイズが大きい。したがって、本発明による駆動回路４０２は、メインディスプレイパネル２０４全体に表示される画像データ量（Ｃ×Ｄ）と同じサイズの画像メモリ４０４を含む。
【００３０】
図９及び図１０を参照すれば、グラフィックプロセッサ４１２は、ＣＰＵ／ＲＧＢインターフェース４１４を通じて、駆動制御器４１６にパネル選択信号を伝送する。駆動制御器４１６は、パネル選択信号からサブまたはメインディスプレイパネル２０２または２０４のうち何れかがディスプレイモードパネルであるか、サブまたはメインディスプレイパネル２０２または２０４のうち何れかが非ディスプレイモードパネルであるかを決定する（図１０のステップ５０２）
【００３１】
本発明によるデュアルパネル駆動システムによれば、端末機のフォルダが閉じられていれば、サブディスプレイパネル２０２のみを画像メモリ４０４から画像データをディスプレイするディスプレイモードパネルと決定する。この場合、メインディスプレイパネル２０４は、非ディスプレイモードパネルと決定される。この場合には、前記画像メモリ４０４の一部領域のＡ×Ｂサイズの容量のみを使用して画像データを保存し、ゲートライン２１２とソースライン２１６とを通じて、前記サブディスプレイパネル２０２に前記画像データを出力する。
【００３２】
また、端末機のフォルダが開いていれば、メインディスプレイパネル２０４のみを画像メモリ４０４から画像データをディスプレイするディスプレイモードパネルと決定する。この場合、サブディスプレイパネル２０２は、非ディスプレイモードパネルと決定される。また、この場合には、前記画像メモリ４０４の全体領域のＣ×Ｄサイズの容量を使用して画像データを保存し、ゲートライン２１４とソースライン２１６とを通じて、前記メインディスプレイパネル２０４に前記画像データを出力する。このとき、前記画像データは、端末機のＣＰＵまたはグラフィックプロセッサ（図示せず）からＣＰＵインターフェースまたはＲＧＢインターフェースを通じて駆動回路４０２に出力されて画像メモリ４０４に保存される。
【００３３】
図４の他の場合を参照すれば、画像データは、画像メモリ４０４からの画像データは、ＣＰＵ（グラフィックプロセッサ）４１２及びＣＰＵ／ＲＧＢインターフェース４１４を通じて駆動回路４０２に伝えられる。したがって、最小化されたメモリ容量のために、ただ１つの画像メモリ４０４は、デュアルディスプレイパネル２０２及び２０４のうち何れか一つにディスプレイされる画像データを保存するために利用される。
【００３４】
駆動回路４０２は、画像メモリ４０４からの画像データによって、ゲートライン２１２及びサブディスプレイパネル２０２のＢソースラインを駆動するか、またはゲートライン２１４及びメインディスプレイパネル２０４のＤソースラインを駆動する。駆動制御器４１６は、ディスプレイパネル２０２及び２０４のゲートライン２１２及び２１４を駆動するために、ゲートラインドライバー４１８を制御する。また、駆動制御器４１６は、ディスプレイパネル２０２及び２０４のソースライン２１６を駆動するために、ソースラインドライバー４２０を制御する。
したがって、本発明によるデュアルパネル駆動システムは、画像メモリ４０４のみでメインディスプレイパネルとサブディスプレイパネルとをそれぞれ駆動できる。
【００３５】
一方、デュアルフォルダ型の携帯用通信端末機は、メインディスプレイパネルとサブディスプレイパネルとが一つのバックライトを共有する製品がある。このように、一つのバックライトを共有する製品では、メインディスプレイパネル２０４のみをディスプレイモードパネルとして駆動し、サブディスプレイパネル２０２を非ディスプレイモードパネルに設定してターンオフにする場合に、サブディスプレイパネルがメインディスプレイパネルの影響を受けて、サブディスプレイパネル自体の漏れ現象、すなわち、ノイズが発生してサブディスプレイパネルにディスプレイされる現象がある。
【００３６】
サブディスプレイパネル２０２のノイズ／漏れ現象を防止するために、デュアルパネル駆動システム４００は、部分ディスプレイ動作時、周期的に非ディスプレイモードパネルをブラックまたはホワイトディスプレイモードで駆動する。
すなわち、本発明によるデュアルパネル駆動システムは、このようなオフになるサブディスプレイパネルでのノイズ現象をなくすために、サブディスプレイパネルを周期的にホワイトディスプレイモードに転換させるソースドライバーを駆動する。
本発明で提案するデュアルパネル駆動システム及び方法は、部分ディスプレイ動作を利用する。
【００３７】
図５Ａ及び図５Ｂは、本発明による部分ディスプレイ動作を示すブロック図である。
図５Ａを参照すれば、メインディスプレイパネルのみを活性化する時には、メインディスプレイパネルを表示領域（すなわち、ディスプレイモードパネル）と指定して、画像、通話状態などのデータを出力し、サブディスプレイパネルは、非表示領域（非ディスプレイモードパネル）と指定し、所定の電圧レベルを供給してブランクに表示する。このとき、図４の画像メモリ４０４は、メインディスプレイパネル２０４に表示されるデータを保存するため、画像メモリ４０４は、メインディスプレイパネルのようなＣ×Ｄのデータ容量を使用する。したがって、メインディスプレイパネルにデータを表示する場合には、画像メモリ４０４の全体容量を何れも使用する。
【００３８】
そして、サブディスプレイパネルのみを活性化する時には、サブディスプレイパネルとメインディスプレイパネルとを一つの大きいパネルとして認識し、サブディスプレイパネルは、表示領域と指定して、時間などのデータを出力して表示し、メインディスプレイパネルは、非表示領域と指定し、所定の電圧レベルを供給してブランクに表示する。このとき、図４の画像メモリ４０４は、サブディスプレイパネル２０２に表示されるデータのみを保存するため、画像メモリ４０４の全体容量の一部であるＡ×Ｂ容量のみを使用する。
【００３９】
このとき、ディスプレイパネル駆動回路は、サブディスプレイパネルとメインディスプレイパネルのうち一つをディスプレイモードで駆動し、他のディスプレイパネルを非ディスプレイモードで駆動する場合に、サブディスプレイパネルに連結されたサブゲートラインとメインディスプレイパネルに連結されたメインゲートラインともに順次に走査信号を供給する。また、ディスプレイパネル駆動回路は、ディスプレイモードで駆動されるディスプレイパネルに走査信号が供給される時には、ソースラインに映像データ信号を供給し、非ディスプレイモードで駆動されるディスプレイパネルに走査信号が供給される時には、ソースラインに所定レベルの電圧信号を供給する。
【００４０】
一方、図５Ｂの場合は、メインディスプレイパネルのみを活性化する場合には、部分ディスプレイモードで動作し、サブディスプレイパネルのみを活性化する場合には、メインディスプレイパネルをターンオフにする場合を示す。
【００４１】
まず、メインディスプレイパネルのみを活性化する時には、メインディスプレイパネルを表示領域と指定して、画像、通話状態などのデータを出力し、サブディスプレイパネルは、非表示領域と指定し、所定の電圧レベルを供給してブランクに表示する。このとき、
【００４２】
図４の画像メモリ４０４は、メインディスプレイパネル２０４に表示されるデータを保存するため、画像メモリ４０４は、メインディスプレイパネルと同じＣ×Ｄのデータ容量を使用する。したがって、メインディスプレイパネルにデータを表示する場合には、画像メモリ４０４の全体容量を何れも使用する。
【００４３】
このとき、ディスプレイパネル駆動回路は、サブディスプレイパネルをディスプレイモードで駆動し、メインディスプレイパネルをターンオフにするため、サブディスプレイパネルに連結されたサブゲートラインは、順次に走査信号を供給するが、メインディスプレイパネルに連結されたメインゲートラインはターンオフにする。また、ディスプレイパネル駆動回路は、ディスプレイモードで駆動されるサブディスプレイパネルに走査信号が供給される時には、ソースラインに映像データ信号を供給し、次のフレームを準備する。
【００４４】
サブディスプレイパネルのみを活性化する時には、メインディスプレイパネルは、ターンオフにし、サブディスプレイパネルのゲート及びソースラインにのみ電源を供給してサブディスプレイパネルのみを駆動する。このとき、図４の画像メモリ４０４は、サブディスプレイパネル２０２に表示されるデータのみを保存するため、画像メモリ４０４の全体容量の一部であるＡ×Ｂ容量のみを使用する。
【００４５】
また、図５Ａ及び図５Ｂには、サブディスプレイパネルとメインディスプレイパネルのうち一つのパネル全体をディスプレイし、他のディスプレイパネルは、非ディスプレイする場合を示したが、前記二つのディスプレイパネルうち一部領域を画像メモリの容量内で表示領域と指定し、残りの領域を非表示領域と指定して、部分ディスプレイ動作を行うこともある。
【００４６】
図５Ａ及び図５Ｂに示された部分ディスプレイモードによってデュアルディスプレイパネルを駆動する場合、非表示領域と指定されたパネルは、液晶パネルの特性とソースラインに供給される電圧レベルの設定とによって、ブラックディスプレイモードまたはホワイトディスプレイモードに区分される。低電圧でブラックディスプレイを行う場合をブラックディスプレイモードとし、高電圧でブラックディスプレイを行う場合をホワイトディスプレイモードとする。このうち、一般的に、ＬＣＤ（Ｌｉｑｕｉｄ Ｃｒｙｓｔａｌ Ｄｉｓｐｌａｙ）装置の部分ディスプレイ方式に主に使われるモードは、ホワイトディスプレイモードである。したがって、以下の説明では、ホワイトディスプレイモードを利用する場合のみを例として説明する。
【００４７】
また、本発明によるデュアルパネル駆動システムは、ディスプレイパネルで消費される電力を減らすために、非表示領域を全てのフレームについてホワイトディスプレイモードで駆動するのではなく、非表示領域を、ゲートラインの電圧をターンオフにして電源を供給せず、所定フレーム間隔で非表示領域に駆動されるゲートラインを駆動してホワイトディスプレイモードで駆動することもある。
図５Ａに示されたような本発明による部分ディスプレイ動作は、デュアルディスプレイパネルのうち何れか一つを駆動する間、他のディスプレイパネルを非表示領域と指定し、周期的にホワイトディスプレイモードでリフレッシュさせることができる。したがって、少ない画像メモリの使用と共に、バックライトを通じた映像の漏れを補償できる。
【００４８】
また、図５Ｂに示されたような本発明による部分ディスプレイ動作は、メインディスプレイパネルの駆動動作の間、サブディスプレイパネルを非表示領域と指定して周期的にホワイトディスプレイモードでリフレッシュさせることができる。同様に、少ない画像メモリの使用と同時に、メインフレームの映像データの損失なしにサブディスプレイの映像の漏れを補償できる。
【００４９】
図６は、本発明のデュアルパネル駆動方法の一実施形態によるタイミング図である。
図６を参照すれば、メインディスプレイパネルが表示領域と設定され、サブディスプレイパネルが非表示領域と設定された部分ディスプレイ方式を示す。また、パネルに消費される電力を減らすために、サブディスプレイパネル上で、部分ディスプレイ方式は、所定フレーム周期にホワイトディスプレイモードで駆動される。
【００５０】
図６の一実施形態では、１秒に６０フレームがディスプレイパネルにディスプレイされるように設定される。したがって、フレーム同期信号６０２は、６０Ｈｚの周波数で設定される。ライン同期信号６０４は、二つのディスプレイパネルに連結されたゲートラインとソースラインの信号を同期させるための信号である。サブディスプレイパネルのホワイトディスプレイモード信号６０６は、２０／６０Ｈｚごとに１フレームずつロジックローに遷移されてホワイトディスプレイモードを具現する。また、メインディスプレイパネルのノーマルディスプレイモード信号６０８がロジックローに遷移されて、前記メインディスプレイパネルが一般的な表示領域と指定される。
【００５１】
パネルディスプレイ６１０を説明すれば、サブディスプレイパネルのホワイトディスプレイ信号６０６がロジック“ハイ（Ｈｉｇｈ）”である時には、サブディスプレイパネルは、オフ状態になり、ホワイトディスプレイ信号６０６が２０／６０ｚごとにロジック“ロー（Ｌｏｗ）”になれば、サブディスプレイパネルは、２０／６０Ｈｚのフレームごとにホワイトディスプレイモードで設定される。また、メインディスプレイパネルのノーマルディスプレイ信号６０８がロジック“ロー”に遷移されれば、メインディスプレイパネルは、表示領域と設定されて画像メモリに保存された画像データがディスプレイされる。
【００５２】
一方、前記ホワイトディスプレイモードで設定される周期は、ｎ／６０Ｈｚと設定され、ｎは、電力消耗量と肉眼の認識如何によって、多様に決定されうる。
【００５３】
また、メインディスプレイパネルとサブディスプレイパネルとの画面転換時には、画面転換による残像を解決するために非活性化される非表示ディスプレイパネルは、プログラムを通じて初期所定フレームをホワイトディスプレイモードで設定できる。
【００５４】
図６は、メインディスプレイパネルが活性化され、サブディスプレイパネルが非活性化される場合のみを示したが、メインディスプレイパネルが非活性化され、サブディスプレイパネルが活性化されてデータが表示される場合も同一に類推できる。また、メインディスプレイパネルが非活性化される場合は、デュアルフォルダ型の携帯用通信端末機が閉じられている場合が一般的であるため、電力消耗を減らすために、メインディスプレイパネルのゲートラインは、何れもターンオフにすることもある。
【００５５】
図７は、図６に示された実施形態を制御するためのゲートラインの設定を示す図面である。
メインディスプレイパネルとサブディスプレイパネルの最大解像度を１７６ＲＧＢ×２２４（図４のＣ×Ｄ）、１７６ＲＧＢ×９６（図４のＡ×Ｂ）と仮定すれば、デュアルパネルを一つのスクリーンで表現するためのゲートラインは、“３２０＝設定されたメインディスプレイパネルゲートライン＋ＬＮ（Ｌａｔｅｎｃｙ Ｎｕｍｂｅｒ（レーテンシーライン数））＋設定されたサブディスプレイパネルゲートライン”で表示されうる。ここで、ＬＮビットは、可変的にメインディスプレイパネルとサブディスプレイパネルとを指定した時のゲートラインの長さを固定するためである。
【００５６】
デュアルディスプレイパネルを一つのスクリーンと仮定すれば、メインディスプレイパネルが動作される間、サブディスプレイパネルの動作は、非表示領域について周期的にゲートスキャンモードが設定されねばならない。
【００５７】
図８は、図６に示された実施形態によるゲートラインスキャン設定を示す図面である。
図８を参照すれば、メインディスプレイパネルが表示領域と設定されて、メインディスプレイパネルに連結されたメインゲートラインは、活性電圧ＶＧＨに設定される。したがって、メインディスプレイパネルには、画像データがディスプレイされる。一方、サブディスプレイパネルは、非表示領域と設定され、所定のインターバルゲートスキャンの設定によって、サブディスプレイパネルに連結されたサブゲートラインは、周期的に活性電圧ＶＧＨに設定され、他のフレームでは、非活性電圧ＶＧＬに設定される。
【００５８】
図８では、１秒にディスプレイされる６０フレームのうち、最初の二つのフレームでは、サブディスプレイパネルに連結されたサブゲートラインが非活性電圧ＶＧＬになって、サブディスプレイパネルがターンオフされ、第３フレームでは、サブディスプレイパネルに連結されたサブゲートラインが活性電圧ＶＧＨになって、サブディスプレイパネルがホワイトディスプレイモードで設定される。このとき、インターバルゲートスキャンの設定は、消費電力と肉眼の認識如何を考慮して、５０ｍｓ〜５２０ｍｓまで設定が可能である。図６の実施形態では、３フレーム周期にサブゲートラインが活性電圧ＶＧＨとなるように設定されたため、３／６０Ｈｚ、すなわち、５０ｍｓのインターバルゲートスキャンが設定されうる。
【００５９】
本発明による部分ディスプレイ動作中にホワイトディスプレイモードを具現するための非表示領域の駆動回路内のソースドライバーの動作は、表１の通りである。
【００６０】
【表１】
2005326859.tif 000003
【００６１】
すなわち、ゲートドライバーの制御を通じて、図８に示されたように、非表示領域と指定されたパネル（すなわち、サブディスプレイパネル）を周期的にホワイトディスプレイモードにリフレッシュし、このとき、ソースドライバーは、表１に示された値を通じてソースラインの電圧値を設定してホワイトディスプレイモードを駆動する。
【００６２】
本発明は、図面に示された一実施形態を参考として説明されたが、これは、例示的なものに過ぎず、当業者ならば、これから多様な変形及び均等な他の実施形態が可能であることが分かる。したがって、本発明の真の技術的保護範囲は、特許請求の範囲の技術的思想によって決定されねばならない。
【産業上の利用可能性】
【００６３】
本発明によるデュアルパネル駆動システムは、携帯用通信端末機、ＰＤＡ、デジタルカメラなど２つ以上のディスプレイパネルを供えた電子装置に利用されうる。
【図面の簡単な説明】
【００６４】
【図１】従来の二つの駆動回路を有するデュアルパネル駆動システムを示すブロック図である。
【図２】従来の一つの駆動回路のみを有するデュアルパネル駆動システムを示すブロック図である。
【図３】図２に示されたデュアルパネル駆動システムに使われるメモリのサイズを示すブロック図である。
【図４】本発明によるディスプレイパネル駆動システムのメモリを示すブロック図である。
【図５Ａ】本発明による部分ディスプレイ動作を示すブロック図である。
【図５Ｂ】本発明による部分ディスプレイ動作を示すブロック図である。
【図６】本発明のデュアルパネル駆動方法の一実施形態によるタイミング図である。
【図７】図６に示された実施形態を制御するためのゲートラインの設定を示す図面である。
【図８】図６に示された実施形態によるゲートラインのスキャン設定を示す図面である。
【図９】本発明の一実施形態による図４のディスプレイパネル駆動システムの具体的なブロック図を示す図面である。
【図１０】本発明の一実施形態による図９のディスプレイ駆動システムの動作を説明するフローチャートである。
【符号の説明】
【００６５】
２０２    サブディスプレイパネル
２０４    メインディスプレイパネル
２１２，２１４    ゲートライン
２１６    ソースライン
４００    ディスプレイパネル駆動システム
４０２    駆動回路
４０４    画像メモリ
【図１】
2005326859.tif 000004
【図２】
2005326859.tif 000005
【図３】
2005326859.tif 000006
【図４】
2005326859.tif 000007
【図５Ａ】
2005326859.tif 000008
【図５Ｂ】
2005326859.tif 000009
【図６】
2005326859.tif 000010
【図７】
2005326859.tif 000011
【図８】
2005326859.tif 000012
【図９】
2005326859.tif 000013
【図１０】
2005326859.tif 000014